(57)【要約】【課題】無線接続を所望する外部装置を簡単に選択指定し無線接続を容易に確立し得るデジタルカメラを提供する。【解決手段】光学系を介して被写体を連続的に撮影する撮影手段と、撮影手段で撮影した画像や各種情報を表示する画像表示手段と、外部装置との間で無線信号を送受信する通信手段と、通信手段に接続されたアンテナと、撮影手段による撮影画角内の方向のアンテナの利得パターンを記憶する利得メモリと、受信信号の強度を計測する信号強度計測手段と、カメラの方向を検出する方向検出手段と、方向検出手段が検出したカメラの方向において信号強度計測手段が計測した受信信号強度に基いて利得パターンを用いて外部装置の方向を特定する方向特定手段と、撮影手段が撮影した連続画像を画像表示手段を用いて表示し、その連続画像の画像上に方向特定手段が特定した方向を表わすマークを重畳させて表示するマーク表示手段とを具備してなる。【選択図】図１
2009094890.tif 000002
【特許請求の範囲】
【請求項１】
無線通信機能を有するデジタルカメラであって、
光学系を介して被写体を連続的に撮影する撮影手段と、
上記撮影手段で撮影した画像を含む各種情報を表示する画像表示手段と、
外部装置との間で無線信号を送受信する通信手段と、
上記通信手段に接続されたアンテナと、
上記撮影手段により撮影される画角内の方向に関して上記アンテナの利得パターンを記憶する利得メモリと、
上記通信手段が受信した信号の強度を計測する信号強度計測手段と、
当該デジタルカメラの方向を検出する方向検出手段と、
上記方向検出手段により検出される当該デジタルカメラの方向において上記信号強度計測手段により計測された受信信号の強度に基いて上記利得パターンを用いて上記外部装置が存在する方向を特定する方向特定手段と、
上記撮影手段が撮影した連続画像を上記画像表示手段を用いて表示し、その連続画像の画像上に上記方向特定手段により特定された方向を表わすマークを重畳させて表示するマーク表示手段と、
を具備することを特徴とするデジタルカメラ。
【請求項２】
上記アンテナは、上記光学系の光軸に沿う方向に指向性を有することを特徴とする請求項１に記載のデジタルカメラ。
【請求項３】
上記外部装置の画像を認識する画像認識手段と、
上記方向特定手段により特定される方向に対応する画像から上記画像認識手段により上記外部装置の候補を特定する外部装置候補特定手段と、
をさらに具備し、
上記マーク表示手段は、上記外部装置の候補の画像に重畳させてマークを表示することを特徴とする請求項１に記載のデジタルカメラ。
【請求項４】
上記外部装置の画像を認識する画像認識手段を、さらに有し、
上記方向検出手段は、上記画像認識手段により認識した上記外部装置の表示画像内における位置に基いて上記外部装置に対する当該デジタルカメラの向きを検出することを特徴とする請求項１に記載のデジタルカメラ。
【請求項５】
無線通信機能を有するデジタルカメラであって、
光学系を介して被写体を連続的に撮影する撮影手段と、
上記撮影手段で撮影した画像を含む各種情報を表示手段と、
外部装置との間で無線信号を送受信する通信手段と、
上記通信手段に接続された複数のアンテナと、
上記複数のアンテナで検出したそれぞれの信号の位相を変化させる位相変化手段と、
上記位相変化手段を制御して上記撮影手段の画角の範囲を含む範囲をスキャンするスキャン制御手段と、
上記スキャン制御手段によりスキャンに応じて受信した信号の強度を計測する信号強度計測手段と、
上記撮影手段が撮影した連続画像を上記画像表示手段に表示すると共に上記信号強度計測手段で計測された信号強度が高い部分にマークを表示するマーク表示手段と、
を具備することを特徴とするデジタルカメラ。
【請求項６】
上記外部装置の画像を認識する認識手段と、
上記撮影手段で撮影した画像から上記認識手段により上記外部装置の候補を特定する外部装置候補特定手段と、
をさらに具備し、
上記マーク表示手段は、上記外部装置の候補の画像に重ねてマークを表示することを特徴とする請求項５に記載のデジタルカメラ。
【請求項７】
無線通信機能を有するデジタルカメラであって、
光学系を介して被写体を連続的に撮影する撮影手段と、
上記撮影手段により撮影された画像を含む各種情報を表示する表示手段と、
外部装置との間で無線信号を送受信する通信手段と、
上記通信手段に接続された複数のアンテナと、
上記複数のアンテナで受信した信号の各アンテナ間の位相差を検出する位相差検出手段と、
上記位相差検出手段で検出された各アンテナで受信した信号間の位相差に基いて、上記通信手段が受信した信号を送信した外部装置の当該デジタルカメラに対する方向を特定する方向特定手段と、
上記撮影手段が撮影した連続画像を上記表示手段に表示すると共に、表示された画像の上記方向特定手段で特定された方向に対応する位置にマークを表示するマーク表示手段と、
を具備することを特徴とするデジタルカメラ。
【発明の詳細な説明】
【技術分野】
【０００１】
この発明は、デジタルカメラ、詳しくは無線通信機能を有するデジタルカメラに関するものである。
【背景技術】
【０００２】
従来、レンズ等の撮影光学系により結像される光学像を撮像素子等の光電変換素子により光電変換処理することで、所望の被写体の光学像を電気的な画像信号として取得した後、この画像信号をデジタルデータ化した形態の画像データと当該画像信号に関連する各種の情報データとを含めて形成したデジタル画像データファイル（以下、画像ファイルという）として記憶媒体に記憶し得るように構成したいわゆるデジタルカメラ等の撮影装置（以下、単にデジタルカメラ等という）が広く一般に普及している。
【０００３】
このような従来のデジタルカメラ等には、記憶媒体に記憶された画像ファイル等のデータファイルを、外部装置、例えば小型コンピュータや他のデジタルカメラ等との間で無線通信により送受信するための無線通信手段を有しているものがある。
【０００４】
このような従来のデジタルカメラにおいては、無線通信手段を利用して他の外部装置との間で無線信号の送受信を行う際に、当該デジタルカメラの周辺に通信相手となり得る外部装置、即ち同様の無線通信手段を具備し無線通信機能を有する外部装置が複数存在することもあり得る。
【０００５】
このような場合には、複数の外部装置のうちから通信を所望する相手方の機器を特定するための技術的工夫が必要となる。通信相手を特定するための従来技術としては、例えば特開２００１−１９７１５０号公報，特開２００６−０６７２３１号公報等によって、種々のものが提案されている。
【０００６】
上記特開２００１−１９７１５０号公報によって開示されている装置は、無線接続可能な機器の識別情報を受信して、その識別情報（例えば名称情報等）を文字等による一覧表形式で表示手段に表示して、この表示一覧から通信を所望する機器を選択指定することによって、選択指定された無線通信機器との無線接続を確立するというものである。
【０００７】
また、上記特開２００６−０６７２３１号公報によって開示されている装置は、通信相手先装置に関する特定情報を予め登録しておき、登録された特定情報に基いて特定の通信相手先装置との間で無線通信接続が行われ、登録されていない通信相手との無線接続動作を自動的に回避するというものである。
【特許文献１】特開２００１−１９７１５０号公報
【特許文献２】特開２００６−０６７２３１号公報
【発明の開示】
【発明が解決しようとする課題】
【０００８】
ところが、上記特開２００１−１９７１５０号公報によって開示されている手段によれば、文字による一覧表から所望の接続先を選択指示することになるので、通信相手先装置が多く存在し、選択可能な装置が増えたときには、通信を所望する特定装置を一覧表で表示される識別情報のみから判別するのが困難になってしまうという問題点がある。
【０００９】
また、上記特開２００６−０６７２３１号公報によって開示されている手段によれば、特定情報を予め登録する操作が必要となるので、手間がかかると共に、特定情報としての条件設定が難しい上に、使用状況によっては、例えば途中で接続先を変更したいといった要望があった場合等には、登録済みの接続リストから選択指定することになるので、この場合、接続リストから所望の相手先を判別するのが、上述の公報による手段と同様困難であり、操作性に問題点がある。
【００１０】
本発明は、上述した点に鑑みてなされたものであって、その目的とするところは、無線通信機能を有するデジタルカメラにおいて、無線接続可能な装置が近隣に複数存在する場合に、無線接続を所望する通信相手先の装置をより簡単に選択指定することができ、選択指定した所望の通信相手先との無線接続を容易に確立させることができるように構成されたデジタルカメラを提供することである。
【課題を解決するための手段】
【００１１】
上記目的を達成するために、本発明によるデジタルカメラは、無線通信機能を有するデジタルカメラであって、光学系を介して被写体を連続的に撮影する撮影手段と、上記撮影手段で撮影した画像を含む各種情報を表示する画像表示手段と、外部装置との間で無線信号を送受信する通信手段と、上記通信手段に接続されたアンテナと、上記撮影手段により撮影される画角内の方向に関して上記アンテナの利得パターンを記憶する利得メモリと、上記通信手段が受信した信号の強度を計測する信号強度計測手段と、当該デジタルカメラの方向を検出する方向検出手段と、上記方向検出手段により検出される当該デジタルカメラの方向において上記信号強度計測手段により計測された受信信号の強度に基いて上記利得パターンを用いて上記外部装置が存在する方向を特定する方向特定手段と、上記撮影手段が撮影した連続画像を上記画像表示手段を用いて表示し、その連続画像の画像上に上記方向特定手段により特定された方向を表わすマークを重畳させて表示するマーク表示手段と、を具備することを特徴とする。
【発明の効果】
【００１２】
本発明によれば、無線通信機能を有するデジタルカメラにおいて、無線接続可能な装置が複数存在する場合に、無線接続を所望する通信相手先の装置をより簡単に選択指定することができ、選択指定した所望の通信相手先との無線接続を容易に確立し得るように構成されたデジタルカメラを提供することができる。
【発明を実施するための最良の形態】
【００１３】
以下、図示の実施の形態によって本発明を説明する。
【００１４】
図１は、本発明の第１の実施形態のデジタルカメラの主な構成を示すブロック構成図である。図２は、本実施形態のデジタルカメラにおいてＥＥＰＲＯＭに登録されるＷＵＳＢ認証情報のデータ形態の一例を示す概念図である。図３，図４は、本実施形態のデジタルカメラのアンテナの指向性（利得パターン）を示す概念図である。図５，図６は、本実施形態のデジタルカメラの作用を示し、このうち、図５は、本実施形態のデジタルカメラにおいて、ＷＵＳＢ接続による無線通信を行う相手先となる外部装置を検索する際の作用を示すフローチャートである。また、図６は、本実施形態のデジタルカメラの作用のうちホスト特定画面表示処理の詳細を示すフローチャートである。図７は、本実施形態のデジタルカメラにおけるホスト特定表示画面の一例を示す図である。図８は、本実施形態のデジタルカメラのホスト特定画面表示処理において、無線通信相手の外部装置を特定した状態を示す表示画面の一例を示す図である。
【００１５】
本実施形態のデジタルカメラは、撮影光学系（レンズ）によって形成される被写体像を受光して、これを光電変換し電子的な画像データとして記録することができ、かつ外部装置（例えばパーソナルコンピュータや外部ストレージ装置又は他のデジタルカメラ等）との間で画像データ等の送受信を無線通信により行うための無線通信機能を有する無線機器の一種である。
【００１６】
本実施形態のデジタルカメラにおいては、無線通信を行うための無線通信手段として、ワイヤレスＵＳＢ（Ｗiress Ｕnivirsal Sireal Bus；以下、ＷＵＳＢと略称する）規格を適用した場合を例示している。本実施形態のデジタルカメラ１００に適用し得る無線通信手段としては、これに限ることはなく、例えば超広帯域（ＵＷＢ；Ｕltra Ｗide Ｂand) 無線接続手段や、無線ＬＡＮ接続手段や、ＩｒＤＡ（アイアールディーエイ；Infrared Data Association）規格に準拠した赤外線通信（光無線接続手段）等、種々の手段がある。
【００１７】
図１に示すように、本実施形態のデジタルカメラ１００は、レンズ１と、撮像素子２と、撮像回路３と、Ａ／Ｄ変換器（図１では単に「Ａ／Ｄ」と表記している）４と、信号処理回路５と、フレームメモリ６と、ＦＩＦＯメモリ７と、ＴＦＴ液晶駆動回路９と、ＴＦＴパネル１０と、バックライトユニット１１と、ビデオ出力回路１２と、ビデオ出力端子１３と、記録バッファ１４と、記録媒体インターフェース（記録媒体Ｉ／Ｆ）１５と、画像メモリである記録媒体１６と、アクチュエータ１７と、アクチュエータ駆動回路１８と、外部有線データインターフェース（外部有線データＩ／Ｆ）２２と、キーマトリクス２３と、ＬＣＤ表示回路２４と、ＬＣＤパネル２５と、電池２６と、電源回路２７と、バックアップ電源２８と、電池状態検出回路２９と、第１ＣＰＵ３１と、第２ＣＰＵ３２と、ＥＥＰＲＯＭ１９と、外部無線データインターフェース（Ｉ／Ｆ）２０と、レンズ１（光学系）の光軸に沿う方向の指向性を有する無線アンテナ２１ａと、アンテナ制御／信号強度検出部３４と、カメラ姿勢検出部３３等によって主に構成されている。
【００１８】
レンズ１は、光学的な被写体像を形成し、これを撮像素子２の受光面上に結像させるために設けられるものである。
【００１９】
撮像素子２は、レンズ１によって形成される光学的な被写体像を受けて光電変換処理を行って、電気的な画像信号を出力する素子である。この撮像素子２としては、高速読み出しを行うことができるタイプの固体撮像素子であって、例えばＣＣＤ（電荷結合素子），ＣＭＯＳ（相補型金属酸化膜半導体）あるいはその他の各種のタイプの撮像素子が適用され得る。
【００２０】
撮像回路３は、撮像素子２からの出力信号を受けて、その画像信号に対して各種のアナログ信号処理を行う電子回路である。
【００２１】
Ａ／Ｄ変換器４は、撮像回路３から出力されるアナログ形式の画像信号を受けて、デジタル形式の画像信号に変換するための回路である。
【００２２】
なお、本実施形態のデジタルカメラ１００においては、上述のレンズ１，撮像素子２，撮像回路３，Ａ／Ｄ変換器４等によって、光学系を介して被写体を連続的に撮影する撮影手段の主要部が構成される。
【００２３】
信号処理回路５は、Ａ／Ｄ変換器４から出力されたデジタル形式の画像信号を受けて、各種のデジタル的な信号処理を行う回路である。
【００２４】
フレームメモリ６は、信号処理回路５によって処理された画像信号を受けて、処理済の画像信号や、この画像信号に関する各種データ等を一時的に記憶する一時記憶手段である。このフレームメモリ６としては、例えばＳＤＲＡＭ等の半導体記憶素子等が適用される。
【００２５】
ＦＩＦＯメモリ７は、画像信号を各種の表示装置へ向けて出力する際に、当該画像信号の一時的な記憶を行うために設けられるメモリである。
【００２６】
ＴＦＴ液晶駆動回路９は、ＦＩＦＯメモリ７から出力される画像信号を受けてＴＦＴパネル１０を制御する回路である。
【００２７】
ＴＦＴパネル１０は、ＴＦＴ液晶駆動回路９の制御によって画像信号に基づく画像や当該デジタルカメラ１００における各種の情報等を表示するための表示部材であり、カラー表示可能なものが用いられる。
【００２８】
バックライトユニット１１は、ＴＦＴパネル１０の背面側に設けられ、当該ＴＦＴパネル１０を背面側から照明するためのものである。
【００２９】
なお、本実施形態のデジタルカメラ１００においては、上述のＴＦＴ液晶駆動回路９，ＴＦＴパネル１０，バックライトユニット１１等によって、上記撮影手段により撮影された被写体像を含む画像やこの画像に付随する各種情報等を表示する画像表示手段の主要部が構成される。
【００３０】
ビデオ出力回路１２は、ＦＩＦＯメモリ７からの画像信号を受けて、例えばＮＴＳＣ形式のビデオ信号に変換し、ビデオ出力端子１３を介して、当該ビデオ出力端子１３に接続される外部表示装置等へ出力するための回路である。
【００３１】
ビデオ出力端子１３は、本デジタルカメラ１００と外部表示装置等との間を電気的に接続するビデオケーブル等の信号線を接続するための接続端子である。
【００３２】
記録バッファ１４は、フレームメモリ６に一時的に記憶されている画像信号等を記録媒体１６に画像データとして記録するとき、若しくは記録媒体１６から画像データを読み出してフレームメモリ６に一時的に記憶するとき等に用いられるバッファ（一時保存領域）である。
【００３３】
記録媒体Ｉ／Ｆ１５は、記録媒体１６への画像データ等の記録処理や、記録媒体１６からの画像データ等の読み出し処理等を制御するためのものである。
【００３４】
記録媒体１６は、画像データやその他の各種データを記録するための不揮発性の記録媒体、例えば薄板形状，カード形状からなるメモリカード等である。この記録媒体１６としては、例えばデジタルカメラ１００に対して着脱自在とする形態のものや、デジタルカメラ１００の機器内部の電気回路に固設されている形態のもの等、様々な形態のものがあり、いずれの形態のものでも、本実施形態のデジタルカメラ１００に適用し得る。
【００３５】
上述の記録バッファ１４，記録媒体Ｉ／Ｆ１５等によって、上記撮影手段で撮影された画像に関する画像信号及びその付随データ等を所定の形態のデータとして記録媒体１６に記憶する画像記憶手段の主要部が構成される。
【００３６】
アクチュエータ１７は、レンズ１を駆動して、オートフォーカス動作を行ったりあるいはズーミング動作を行ったりするための駆動源である。
【００３７】
アクチュエータ駆動回路１８は、第１ＣＰＵ３１の制御に基づいてアクチュエータ１７を制御し駆動する回路である。
【００３８】
外部有線データインターフェース（外部有線データＩ／Ｆ）２２は、本デジタルカメラ１００と外部装置との間においてデータ等の送受信を接続ケーブル等を介して行うための接続部分（インターフェース）であって、例えばＵＳＢ（（Ｕniversal Ｓerial Ｂus））規格やＩＥＥＥ１３９４等に準拠したものが適用される。
【００３９】
この外部有線データインターフェース（外部有線データＩ／Ｆ）２２及び接続ケーブル（図示せず）によって、外部装置と有線により情報を送受信する有線通信手段の主要部が構成される。
【００４０】
キーマトリクス２３は、本実施形態のデジタルカメラ１００に設けられる各種の操作スイッチや操作ボタン等を含む操作入力手段の総称として用いている。即ち、キーマトリクス２３の具体的な構成例は、例えば当該デジタルカメラ１００の電源状態をオン又はオフ状態に切り換える電源ボタンや、撮影動作を開始させるレリーズボタン、メニュー画面などの選択設定を行う四方向選択キー（十字キーともいう）等等、各種の操作部材とこれらの操作部材のそれぞれに連動し所定の指示信号を発生させるスイッチ部材及び各スイッチ部材からの指示信号を伝達する電気回路等である。このキーマトリクス２３の各操作部材が操作されることによって発生した信号は、第１ＣＰＵ３１に向けて出力されるようになっている。
【００４１】
ＬＣＤ表示回路２４は、第１ＣＰＵ３１の制御に基づいてＬＣＤパネル２５を制御し、これに各種の情報表示を行わせる回路である。
【００４２】
ＬＣＤパネル２５は、例えばモノクロＬＣＤ等によって構成され、当該デジタルカメラ１００において設定済みの各種設定情報、例えば撮影モード等の動作モード情報や、記録媒体１６に記録可能な画像の枚数情報，撮影時のシャッタ速度や絞り値等の露出に関する情報等を表示する情報表示部材である。
【００４３】
電池２６は、本デジタルカメラ１００における主（メイン）電源である。
【００４４】
バックアップ電源２８は、本デジタルカメラ１００の内部メモリや内部時計等に対して常に電力を供給するために設けられ、例えばデジタルカメラ１００における各種の設定値等の情報や日時情報等を保持したり、日付表示を上記ＬＣＤパネル２５等を用いて常時行い得るようにするための副（サブ）電源である。
【００４５】
電源回路２７は、第１ＣＰＵ３１の指令に基づいて上記電池２６及び上記バックアップ電源２８からの電源を受けて、本デジタルカメラ１００の内部の各電気回路へと適宜供給する制御を行う回路である。
【００４６】
電池状態検出回路２９は、電池２６における電圧等、当該電池２６の状態を検出して、同電池２６の電池残量等を算出し、その結果を第１ＣＰＵ３１へと出力する回路である。
【００４７】
第１ＣＰＵ３１は、本実施形態のデジタルカメラ１００における各回路を統括的に制御するための制御手段であって、主（メイン）ＣＰＵとして配設されているものである。そのために、第１ＣＰＵ３１は、本デジタルカメラ１００におけるシステム全体を適宜制御（コントロール）するためのシステムコントロール部３１ａを備えている。
【００４８】
このシステムコントロール部３１ａの内部には、各種の電気回路等、例えばＷＵＳＢ接続認証機能部３１ｂ，ＷＵＳＢ通信制御機能部３１ｃ，ＷＵＳＢ接続認証情報管理機能部３１ｄ，信号方向検出機能部３１ｅ，アンテナ電波受信感度演算部３１ｆ，ＵＳＢ通信制御機能部３１ｇ，画像相関数値化機能部３１ｈ，被写体追尾機能部３１ｊ等、本デジタルカメラ１００と外部装置との間で無線データ通信を行うための機能部を始めとする各種の機能を実現する制御回路等が設けられている。
【００４９】
ＷＵＳＢ接続認証機能部３１ｂは、本デジタルカメラ１００と外部装置との間でＷＵＳＢによる無線通信を行う際の機器間の認証処理を実行する回路である。
【００５０】
ＷＵＳＢ通信制御機能部３１ｃは、特に本デジタルカメラ１００と外部装置との間の無線通信（ＷＵＳＢ通信）を確立するための通信設定情報等を自動的に生成する等、ＷＵＳＢ無線通信に関する制御を行う通信制御手段として機能する回路である。
【００５１】
ＷＵＳＢ接続認証情報管理機能部３１ｄは、ＥＥＰＲＯＭ１９（詳細は後述する）に記憶されているＷＵＳＢ認証情報１９ａ等を管理する機能を有する回路である。
【００５２】
信号方向検出機能部３１ｅは、アンテナ制御／信号強度検出部３４による信号強度の検出結果に基いて受信した信号の方向を検出し特定する機能を有する回路である。
【００５３】
アンテナ電波受信感度演算部３１ｆは、アンテナ制御／信号強度検出部３４による検出結果を受けてアンテナ電波の受信感度データを算出する機能を有する回路である。このアンテナ電波受信感度演算部３１ｆにより得られた演算結果としての受信感度データは、ＥＥＰＲＯＭ１９へと送られて、これにアンテナ電波受信感度データ１９ｂとして記憶保持される。
【００５４】
ＵＳＢ通信制御機能部３１ｇは、本デジタルカメラ１００と外部装置との間の有線による通信を確立するための通信設定情報等を自動的に生成する等、有線通信に関する制御を行う通信制御手段として機能する回路である。
【００５５】
画像相関数値化機能部３１ｈは、上記撮影手段により連続的に得られる画像データについて、所定の画像解析処理を行って、撮影画像を相関数値化する信号処理を行う回路である。
【００５６】
被写体追尾機能部３１ｊは、上記撮影手段により連続的に得られる画像データについて、画像解析処理を行って撮影画面内の所定の被写体像、つまり外部装置の画像を認識し、認識した像を追尾する機能を実現する回路である。
【００５７】
第２ＣＰＵ３２は、フレームメモリ６に記憶されている画像データを受けて、各種の信号処理を施す回路である。この第２ＣＰＵ３２は、画像圧縮伸張部３２ａ，記録媒体アクセス部３２ｂ等を有して構成されている。
【００５８】
画像圧縮伸張部３２ａは、フレームメモリ６に記憶されている画像データ等を読み出して、例えばＪＰＥＧ圧縮処理等を行ったり、記録媒体１６から読み出された圧縮画像データ等の伸張処理等を行うものである。
【００５９】
記録媒体アクセス部３２ｂは、記録媒体インターフェース１５による記録媒体１６へのアクセスを制御するための回路部である。
【００６０】
画像認識機能部３２ｃは、上記撮影手段によって撮影される画像について、所定の画像解析を行って、ホスト画像を認識する機能を有する回路である。
【００６１】
ＷＵＳＢ接続認証ホスト用画像生成機能部３２ｄは、本デジタルカメラ１００との間でＷＵＳＢ接続により接続され認証処理に用いられるホスト画像を生成するための画像処理を行う回路である。
【００６２】
したがって、画像認識機能部３２ｃ，ＷＵＳＢ接続認証ホスト用画像生成機能部３２ｄ，画像相関数値化機能部３１ｈ，被写体追尾機能部３１ｊ等は、外部装置の画像を認識する画像認識手段の主要部を構成している。
【００６３】
このように上記第１ＣＰＵ３１は、主に制御を行うようになっている一方、上記第２ＣＰＵ３２は、主に画像データを扱う各種の処理制御を行うようになっている。
【００６４】
ＥＥＰＲＯＭ１９は、第１ＣＰＵ３１，第２ＣＰＵ３２により実行される処理プログラム（アプリケーションソフトウエア）等や、外部装置と通信するための通信設定情報等のデータ等等、本デジタルカメラ１００における各種の設定データや固有データ等を記憶し保持するための不揮発性記憶媒体であって、通信設定メモリとしての役目をしている。ＥＥＰＲＯＭ１９としては、例えばフラッシュロム（ＦｌａｓｈＲＯＭ）等が適用される。
【００６５】
このＥＥＰＲＯＭ１９に保持されるデータとしては、外部装置と無線通信するための通信設定情報、具体的には例えば無線通信手段に関するＷＵＳＢ認証情報１９ａ等や、当該デジタルカメラ１００を特定するための固有ＩＤ番号であるＣＤＩＤ（Ｃonnection Ｄevice ＩＤ）情報等のほか、無線アンテナ２１ａにて受信した信号についてのアンテナ電波受信感度データ１９ｂ等のデータがある。
【００６６】
本実施形態のデジタルカメラ１００においては、複数の外部装置（ホスト；Ｈｏｓｔ）に対して個別選択的に無線通信を行なうことができるようになっている。そのために、通信相手となる外部装置毎の複数のＷＵＳＢ認証情報１９ａを有するＷＵＳＢ認証情報データベースが、例えば、図２に示すような形態でＥＥＰＲＯＭ１９の所定の領域に記憶され保持されている。
【００６７】
ＥＥＰＲＯＭ１９に登録されるＷＵＳＢ認証情報データベースは、装置固有の各種の情報である「ＣＣ（Ｃonnection Ｃontext）」と付帯情報（例えば外部装置（ホスト；Ｈｏｓｔ）の外観を撮影した画像データ等）等のデータが、無線通信を行う相手となる外部装置（ホスト）毎にグループ化された形態のデータベース形式で登録されている。
【００６８】
この「ＣＣ」に含まれる情報としては、「ＣＨＩＤ（Ｃonnection Ｈost ＩＤ；接続ホストＩＤ）」，「ＣＤＩＤ（Ｃonnection Ｄevice ＩＤ；接続デバイスＩＤ）」，「ＣＫ（Ｃonnection Ｋey；接続鍵）」等がある。
【００６９】
無線アンテナ２１ａは、本デジタルカメラ１００と外部装置との間で無線によるデータ通信等を行うのに際して、外部装置から発信される所定の形態の電磁波等の無線信号を受信すると共に、本デジタルカメラ１００から発信する所定の形態の電磁波等の無線信号を送信する無線信号の入出力部である。
【００７０】
無線アンテナ２１ａは、アンテナ制御／信号強度検出部３４を介して外部無線データインターフェース２０に接続されていて、送受信した無線信号を外部無線データインターフェース２０へと入出力するようになっている。
【００７１】
外部無線データインターフェース２０は、無線アンテナ２１ａと第１ＣＰＵ３１との間に介在し、上記無線アンテナ２１ａにより受信した無線信号を所定の形態の電気信号に変換して、第１ＣＰＵ３１へ出力したり、第１ＣＰＵ３１の信号を無線信号に変換して無線アンテナ２１ａへと出力する無線通信接続部（インターフェース）である。
【００７２】
アンテナ制御／信号強度検出部３４は、無線アンテナ２１ａと第１ＣＰＵ３１との間に介在し、第１ＣＰＵ３１からの制御指令により無線アンテナ２１ａの制御を行う制御部と、無線アンテナ２１ａにて受信される信号強度の検出を行う検出部とを有する回路である。この信号強度検出部での検出結果は、第１ＣＰＵ３１の信号方向検出機能部３１ｅやアンテナ電波受信感度演算部３１ｆ等へと出力される。
【００７３】
ここで、アンテナ制御／信号強度検出部３４は、無線アンテナ２１ａから入力される受信信号を受けて受信信号の強度を計測する信号強度計測手段として機能する。
【００７４】
無線アンテナ２１ａの指向性は、図３，図４に示すように設定されている。ここで、図３において、枠線１０１は、本デジタルカメラ１００の撮影手段によって得られる撮影画像の範囲を示している。この撮影画像の範囲内を、例えば縦横各三分割し、九つの領域を設定している。そして、この九領域のそれぞれに対して左上から順に、１，２，３，…，９の符号を振り、各領域毎に無線アンテナ２１ａの利得を設定している。
【００７５】
この場合において、画像の範囲内における略中心の領域「５」においてアンテナの利得が最も大きくなるように（０ｄＢｉ）、この領域「５」に対して水平及び垂直方向に隣接する領域「２」「４」「６」「８」では中心領域「５」より利得が低くなるように（−７ｄＢｉ）、画像の四隅の領域「１」「３」「７」「９」では利得がさらに低くなるように（−１３ｄＢｉ）利得パターンが設定されている。
【００７６】
したがって、本デジタルカメラ１００においては、レンズ１が向いている方向の撮影画面内において、光軸に沿う方向、つまり撮影画角の略中心部分の領域で最大となるように、無線アンテナ２１ａの利得パターンが設定されている。
【００７７】
なお、このように撮影手段により撮影される画角内の方向に関して設定される無線アンテナ２１ａの利得パターンのデータは、例えばＥＥＰＲＯＭ１９等の所定の領域に記憶保持されている。この場合、ＥＥＰＲＯＭ１９は、アンテナの利得パターンを記憶する利得メモリとして機能する。
【００７８】
外部無線データインターフェース２０，アンテナ制御／信号強度検出部３４，第１ＣＰＵ３１のシステムコントロール部３１ａのＷＵＳＢ接続認証機能部３１ｂ，ＷＵＳＢ通信制御機能部３１ｃ，ＷＵＳＢ接続認証情報管理機能部３１ｄ，信号方向検出機能部３１ｅ，アンテナ電波受信感度演算部３１ｆ等によって、本デジタルカメラ１００と外部装置との間で無線通信により無線信号の情報の送受信を行う通信手段であり無線通信手段の主要部が構成される。そして、上述したように、この無線通信手段に対して、上記無線アンテナ２１ａが接続されている。
【００７９】
カメラ姿勢検出部３３は、本デジタルカメラ１００の姿勢、例えばレンズ１の光軸に沿う方向（当該デジタルカメラ１００の方向）がどのような方向を向いているかを検出する方向検出手段として機能し、例えばジャイロセンサー（角速度センサー）等を有して構成される回路である。
【００８０】
その他、本発明に関連しない部分の構成については、通常一般のデジタルカメラと同様の構成となっているものとして、その詳細は、図示及び説明を省略する。
【００８１】
このように構成された本実施形態のデジタルカメラ１００において、ＷＵＳＢ接続による無線通信動作を行う相手先となる外部装置を検索する場合の作用を図５，図６を用いて説明する。
【００８２】
まず、デジタルカメラ１００の電源がオン状態となっており、かつＷＵＳＢ接続動作モードでの動作が開始されると、図５のステップＳ２１において、第１ＣＰＵ３１は、本デジタルカメラ１００カメラの無線通信接続先となる外部装置（ホスト；Ｈｏｓｔともいう）を検索する接続先検索処理を実行する。この接続先検索処理は、例えば次のような処理である。
【００８３】
無線アンテナ２１ａにより受信された信号は、アンテナ制御／信号強度検出部３４，外部無線データインターフェース２０を介して第１ＣＰＵ３１のシステムコントロール部３１ａのＷＵＳＢ通信制御機能部３１ｃに入力される。この入力信号を受けて、当該ＷＵＳＢ通信制御機能部３１ｃは、ＤＮＴＳ（Ｄevice Ｎotification Ｔime Ｓlot；デバイス通知タイムスロット）を発信している外部装置が、当該デジタルカメラ１００の近隣に存在するか否かを検索する処理である。その後、次のステップＳ２２の処理に進む。
【００８４】
ステップＳ２２において、ＷＵＳＢ通信制御機能部３１ｃは、上述のステップＳ２１における接続先検索処理の結果、外部装置（ホスト）が発見されたか否かの確認を行う。ここで、外部装置（ホスト）を発見したことが確認された場合には、次のステップＳ２３の処理に進む。
【００８５】
また、このステップＳ２２の処理にて、ＷＵＳＢ通信制御機能部３１ｃは、外部装置（ホスト）が発見されなかったことを確認した場合には、ステップＳ３８の処理に進む。
【００８６】
ステップＳ３８において、第１ＣＰＵ３１は、接続先未検出警告表示処理を実行する。この接続先未検出警告表示処理は、例えば第１ＣＰＵ３１がＴＦＴ液晶駆動回路９若しくはＬＣＤ表示回路２４を制御して、ＴＦＴパネル１０若しくはＬＣＤパネル２５の表示部に、接続先が未検出である旨の警告表示を行う等の処理である。その後、一連のＷＵＳＢ接続処理を終了する。
【００８７】
一方、上述のステップＳ２２の処理において、外部装置（ホスト）が発見されたことが確認されて、次のステップＳ２３の処理に進むと、このステップＳ２３において、第１ＣＰＵ３１は、ＥＥＰＲＯＭ１９からＷＵＳＢ認証情報データを読み込む処理をって、発見された外部装置（ホスト）が認証済みのホストであるか否かの確認を行う。ここで、外部装置が認証済みではないことが確認された場合には、ステップＳ３５の処理に進む。
【００８８】
ステップＳ３５において、第１ＣＰＵ３１は、上述のステップＳ２１−Ｓ２２の処理にて発見された外部装置（ホスト）を未認証接続候補のホストとして登録する処理を行う。その後、次のステップＳ２６の処理に進む。
【００８９】
一方、上述のステップＳ２３の処理において、第１ＣＰＵ３１は、上述のステップＳ２１−Ｓ２２の処理にて発見された外部装置が認証済みのホストであることが確認された場合には、次のステップＳ２４の処理に進む。
【００９０】
ステップＳ２４において、第１ＣＰＵ３１は、発見された外部装置（ホスト）が認証済みであり無線接続を行う候補（認証済み接続候補）のホストとして登録する処理を行う。その後、次のステップＳ２６の処理に進む。
【００９１】
このように、第１ＣＰＵ３１は、特定された方向の画像上において、画像認識手段により外部装置の候補を特定する外部装置候補特定手段として機能する。
【００９２】
ステップＳ２６において、第１ＣＰＵ３１は、他の外部装置（ホスト）が近隣に存在しないか否かの確認を行う。ここで、第１ＣＰＵ３１は、その他の外部装置（ホスト）が存在しないことを確認した場合には、次のステップＳ２７の処理に進む。
【００９３】
また、第１ＣＰＵ３１は、その他の外部装置（ホスト）が近隣に存在することを確認した場合には、上述のステップＳ２３の処理に戻り、以降の処理を繰り返す。
【００９４】
上述のステップＳ２６において、その他の外部装置（ホスト）がないと判断されて、ステップＳ２７の処理に進むと、このステップＳ２７において、第１ＣＰＵ３１は、ＴＦＴ液晶駆動回路９を介してＴＦＴパネル１０の表示部に所定の形態のホスト特定画面を表示させる処理を行う。その後、次のステップＳ２８の処理に進む。
【００９５】
なお、このステップＳ２７のホスト特定画面の表示処理については、図６のフローチャートによってその詳細を後述する。
【００９６】
続いて、ステップＳ２８において、使用者は、上述のステップＳ２７の処理によるホスト特定画面において無線通信を所望する外部装置（ホスト）を選択する操作を行う。このとき、第１ＣＰＵ３１は、上述の使用者による選択操作により生じる選択指示信号を待機している状態にある。その後、次のステップＳ２９の処理に進む。
【００９７】
ステップＳ２９において、第１ＣＰＵ３１は、上述のステップＳ２８の処理において使用者が選択操作することで生じた選択指示信号を受けて、選択されたホストが認証済みであるか否かを確認する処理を行う。この場合において、選択されたホストが認証済みであることが確認された場合には、次のステップＳ３０の処理に進む。一方、選択されたホストが認証済みではないことが確認された場合には、ステップＳ３９の処理に進む。
【００９８】
ステップＳ３９において、第１ＣＰＵ３１は、認証要求警告表示処理を実行する。この認証要求警告表示処理は、例えば第１ＣＰＵ３１がＴＦＴ液晶駆動回路９若しくはＬＣＤ表示回路２４を制御して、ＴＦＴパネル１０若しくはＬＣＤパネル２５の表示部において、認証を要求する旨を警告する警告表示を行う等の処理である。その後、一連のＷＵＳＢ接続処理を終了する。
【００９９】
一方、上述のステップＳ２９において、選択されたホストが認証済みであると確認されて、ステップＳ３０の処理に進むと、このステップＳ３０において、第１ＣＰＵ３１は、外部無線データインターフェース２０，無線アンテナ２１ａを制御して、上記選択されたホスト（上述のステップＳ２８にて使用者が選択したホスト）に対して接続を要求する指示信号を発信する処理を行う。その後、次のステップＳ３１の処理に進む。
【０１００】
ステップＳ３１において、第１ＣＰＵ３１は、例えば４ウェイハンドシェークによって接続相手となるホストと同じＣＫ（Ｃonnection Ｋey）を有していることを確認する処理を行う。その後、次のステップＳ３２の処理に進む。
【０１０１】
ステップＳ３２において、上述のステップＳ３１における確認処理における確認事項の結果についての判断を行う。ここで、ホストと同じＣＫ（Ｃonnection Ｋey）を有していることが確認されると、次のステップＳ３３の処理に進む。
【０１０２】
ステップＳ３３において、第１ＣＰＵ３１は、ホストに対して認証を許可する旨の回答を送信する処理を行う。その後、次のステップＳ３４の処理に進む。
【０１０３】
ステップＳ３４において第１ＣＰＵ３１は、所定のＷＵＳＢデータ通信処理（詳細は図６参照）を実行する。このＷＵＳＢデータ通信処理の実行が完了したら、一連のＷＵＳＢ接続処理を終了する。
【０１０４】
一方、上述のステップＳ３２において、ホストと同じＣＫ（Ｃonnection Ｋey）を有していないことが確認されると、ステップＳ３６の処理に進む。
【０１０５】
ステップＳ３６において、第１ＣＰＵ３１は、認証失敗警告表示処理を実行する。認証失敗警告表示処理は、例えば第１ＣＰＵ３１がＴＦＴ液晶駆動回路９若しくはＬＣＤ表示回路２４を制御して、ＴＦＴパネル１０若しくはＬＣＤパネル２５の表示部において、認証に失敗した旨を警告する警告表示を行う等の処理である。その後、ステップＳ３７の処理に進む。
【０１０６】
ステップＳ３７において、第１ＣＰＵ３１は、全ての処理が完了したことを受けて、デジタルカメラ１００と外部装置との無線通信の接続状態を解除する接続切断処理を実行する。その後、一連のＷＵＳＢ接続処理を終了する。
【０１０７】
次に、上述の図５におけるステップＳ２７の処理、即ちホスト特定画面の表示処理を、図６によって以下に説明する。
【０１０８】
上述の図５のステップＳ２６の処理にて、その他の外部装置（ホスト）がないと判断されて、ホスト特定画面表示処理（ステップＳ２７）に進むと、図６のステップＳ４１において、第１ＣＰＵ３１は、ＴＦＴ液晶駆動回路９を介してＴＦＴパネル１０の表示部に、図７に示す形態の表示を行う。その後、ステップＳ４２の処理に進む。
【０１０９】
ここで、図７に示すホスト特定表示画面では、現在の表示画面の状態を表わすタイトル表示１０ａと、撮像手段により取得される画像を連続的に表示するスルー画表示１０ｂと、上述の図５のステップＳ２１にて発見され無線接続を行い得る候補として登録されたホスト（認証済み接続候補及び未認証接続候補）のリストを表示するホストリスト表示１０ｃと、ホストの発する電波（信号）強度を表示する強度表示１０ｄ等が、ＴＦＴパネル１０の表示部の表示画面内における所定の領域に、それぞれ表示されるようになっている。
【０１１０】
上記スルー画表示１０ｂでは、撮像手段により取得される画像に重畳させた形態で、指標１０ｅが表示されるようになっている。この指標１０ｅは、通常時には、スルー画表示１０ｂの領域内における略得中央部分に表示されている。
【０１１１】
次いで、ステップＳ４２において、第１ＣＰＵ３１のアンテナ電波受信感度演算部３１ｆは、使用者の指示により設定されたズーム倍率の設定値やＡＦ測距の測定結果と、ＥＥＰＲＯＭ１９に記憶されているアンテナの利得パターン等のデータに基いて、撮影画角の範囲内におけるアンテナの受信感度分布を計算する処理を行う。その後、ステップＳ４３の処理に進む。
【０１１２】
ステップＳ４３において、第１ＣＰＵ３１は、カメラ姿勢検出部３３からの検出信号を受けて、本デジタルカメラ１００の姿勢を検出する姿勢検出処理を実行する。その後、ステップＳ４４の処理に進む。
【０１１３】
ここで、第１ＣＰＵ３１は、カメラ姿勢検出部３３（方向検出手段）により検出される当該デジタルカメラ１００の方向においてアンテナ制御／信号強度検出部３４（信号強度計測手段）により計測される受信信号（電波）の強度に基いて利得パターンを用いて外部装置が存在する方向（スルー画上における位置）を特定する方向特定手段として機能している。
【０１１４】
ステップＳ４４において、第１ＣＰＵ３１は、現在ターゲットにしているホストからの電波強度を測定する処理を実行する。ここで、現在ターゲットにしているホストとは、図７のホスト特定画面のスルー画表示１０ｂの範囲内に表示されているホストを指す。この電波強度測定処理による測定結果は、図７の符号１０ｄで示す領域に、例えばテキスト文字等によって表示される。その後、ステップＳ４５の処理に進む。
【０１１５】
ステップＳ４５において、第１ＣＰＵ３１は、上述のステップＳ４２の処理にて取得した受信感度分布と上述のステップＳ４５の処理にて得られた電波強度の測定値とを比較して、スルー画表示１０ｂの画面内における当該ホストの位置を特定する処理を実行する。その後、ステップＳ４６の処理に進む。
【０１１６】
ステップＳ４６において、第１ＣＰＵ３１は、スルー画表示１０ｂの画面内において該当する位置、即ちホストが表示されている位置に所定のターゲットマーク（指標）１０ｅを重畳させて表示させる制御処理を行う。なお、このターゲットマーク１０ｅのデータは、例えばＥＥＰＲＯＭ１９等に予め記憶されていて、必要に応じて当該データを読み込んでスルー画表示１０ｂに表示されるようになっている。このように、スルー画表示１０ｂの表示画面内に表示されるホスト上にターゲットマーク１０ｅが重畳表示された状態が、図８に示す状態である。その後、ステップＳ４７の処理に進む。
【０１１７】
つまり、この場合、第１ＣＰＵ３１は、撮影手段が撮影した連続画像をＴＦＴパネル１０（画像表示手段）を用いて表示し、その連続画像上に方向特定手段として特定した方向の外部装置の候補の画像（候補ホスト画像）にターゲットマーク１０ｅを重畳させて表示するマーク表示手段として機能している。
【０１１８】
ステップＳ４７において、第１ＣＰＵ３１は、ターゲットのホストが変更されたか否かの確認を行う。ここで、例えば使用者が、いままでターゲットとしていたホスト以外のホストに、本デジタルカメラ１００のレンズ１を向けたとする。つまり、本デジタルカメラ１００のレンズ１の光軸の方向が変更された場合には、第１ＣＰＵ３１は、カメラ姿勢検出部３３からの検出信号により本デジタルカメラ１００の姿勢が変更したことを確認する。したがって、ターゲットのホストが変更されたことが確認された場合には、上述のステップＳ４４の処理に戻り、以降の処理を繰り返す。一方、ターゲットのホストの変更がないことが確認された場合には、次のステップＳ４８の処理に進む。
【０１１９】
ステップＳ４８において、第１ＣＰＵ３１は、キーマトリクス２３からの指示信号を監視して、使用者によるズーム操作がなされたか否かの確認を行う。ここで、ズーム操作がなされたことが確認された場合には、上述のステップＳ４２の処理に戻り、以降の処理を繰り返す。一方、ズーム操作がなされていないことが確認された場合には、次のステップＳ４９の処理に進む。
【０１２０】
ステップＳ４９において、第１ＣＰＵ３１は、ＡＦ測距結果が変化したか否かの確認を行う。ここで、ＡＦ測距結果に変化が生じたことが確認された場合には、上述のステップＳ４２の処理に戻り、以降の処理を繰り返す。一方、ＡＦ測距結果に変化が生じていないことが確認された場合には、次のステップＳ５０の処理に進む。
【０１２１】
ステップＳ５０において、第１ＣＰＵ３１は、キーマトリクス２３からの指示信号を監視して、ホストの決定操作がなされたか否かの確認を行う。ここで、ホスト決定操作がなされなかったことが確認された場合には、上述のステップＳ４４の処理に戻り、移行の処理を繰り返す。一方、ホスト決定操作がなされたことが確認された場合には、上記一連のホスト特定画面表示処理を終了し、元の処理シーケンスに戻る。即ち、図５のステップＳ２９の処理に進む。
【０１２２】
以上説明したように上記第１の実施形態によれば、アンテナの利得パターンを予めＥＥＰＲＯＭ１９等の利得メモリに記憶しておき、当該デジタルカメラ１００の方向をカメラ姿勢検出部３３により検出し、これにより検出された方向に対応する受信信号（電波）の強度をアンテナ制御／信号強度検出部３４によって計測し、これによって得られる測定値と上記利得パターンとに基いて外部装置（ホスト）が存在する方向（スルー画上における位置）を特定し、こうして特定した外部装置（ホスト）との無線通信を確立するようにしている。したがって、これにより、近隣に複数の外部装置（ホスト）が存在する場合にも、通信を所望する相手装置の特定を簡単に選択指定することができ、選択指定した所望の通信相手先との無線接続を容易に確立させることができる。
【０１２３】
次に、本発明の第２の実施形態のデジタルカメラについて説明する。
【０１２４】
上述の第１の実施形態においては、予めＥＥＰＲＯＭ１９等の利得メモリに記憶してあるアンテナの利得パターンと、計測した外部装置からの電波強度とによって、無線接続を行う外部装置を特定するようにしている。
【０１２５】
これに対して、本実施形態においては、無線接続を所望する外部装置が表示部の略中心に表示されるようにデジタルカメラを外部装置に対して向けることで、無線通信相手先の外部装置を特定し、無線接続を確立するようにしたものである。
【０１２６】
本実施形態のデジタルカメラの構成は、上述の第１の実施形態と同様であるので、その構成の図示は省略し、図１を参照する。
【０１２７】
本実施形態のデジタルカメラによって、ＷＵＳＢ接続による無線通信を行う相手先の外部装置を検索する場合の作用を、図９，図１０，図１１によって以下に説明する。
【０１２８】
図９は、本発明の第２の実施形態のデジタルカメラの作用のうちホスト特定画面表示処理の詳細を示すフローチャートである。図１０は、本実施形態のデジタルカメラのレンズを近隣にある外部装置に向けた状態を示す概念図である。図１１は、本実施形態のデジタルカメラのホスト特定表示画面の一例を示す図である。
【０１２９】
本実施形態のデジタルカメラにおいて、ＷＵＳＢ接続による無線通信を行う相手先の外部装置を検索する際の作用は、上述の第１の実施形態の処理シーケンスと略同様である（図５参照）が、本実施形態においてはホスト特定画面表示処理が若干異なる。
【０１３０】
図９のホスト特定画面表示処理が実行されると、まず、ステップＳ４１において、第１ＣＰＵ３１は、ＴＦＴ液晶駆動回路９を介してＴＦＴパネル１０の表示部に、図１１に示す形態の表示を行う。その後、ステップＳ４４の処理に進む。
【０１３１】
この状態において、使用者は、近隣に存在する複数の外部装置（ホスト）に対してデジタルカメラ１００のレンズ１を向ける。このとき、無線通信を所望する外部装置が、レンズ１の撮影画角（図１０の符号Ｖで示す範囲内）に入るように、デジタルカメラ１００の方向を設定する。このとき、ＴＦＴパネル１０の表示画面には、撮像手段によって得られる画像が連続的に表示されるスルー画表示１０ｂがなされている。
【０１３２】
そして、使用者は、通信を所望する特定の外部装置がＴＦＴパネル１０の表示画面の略中央部に表示されるようにデジタルカメラ１００のレンズ１の向きを固定する。
【０１３３】
すると、ステップＳ４４において、第１ＣＰＵ３１は、現在ターゲットにしている外部装置（ホスト）からの電波強度を測定する処理を実行する。その後、ステップＳ５１の処理に進む。なお、ここで、現在ターゲットにしている外部装置（ホスト）とは、図１１のホスト特定画面のスルー画表示１０ｂの略中央部に表示されているホストを指す。
【０１３４】
ステップＳ５１において、第１ＣＰＵ３１は、利得パターンに基いて表示画面の中心ほど大きな数値表示となるように測定値を補正する処理を行う。その後、ステップＳ５２の処理に進む。
【０１３５】
ステップＳ５２において、第１ＣＰＵ３１は、ＴＦＴ液晶駆動回路９を制御してＴＦＴパネル１０の表示画面上における所定の領域１０ｄ（図１１参照）に、上述のステップＳ４４の処理（電波強度測定処理）による測定結果、即ち電波強度レベル値を、例えばテキスト文字等によって表示する処理を行う。その後、ステップＳ４７の処理に進む。
【０１３６】
ステップＳ４７において、第１ＣＰＵ３１は、ターゲットのホストが変更されたか否かの確認を行う。ここで、例えば使用者が、いままでターゲットとしていたホスト以外のホストに、本デジタルカメラ１００のレンズ１を向けて、ＴＦＴパネル１０の表示画面の略中央部に表示されるホストが変更される。この場合、第１ＣＰＵ３１は、カメラ姿勢検出部３３からの検出信号によって本デジタルカメラ１００の姿勢が変更されたことを確認することができる。したがって、ターゲットのホストが変更されたことが確認された場合には、上述のステップＳ４４の処理に戻り、以降の処理を繰り返す。一方、ターゲットのホストの変更がないことが確認された場合には、次のステップＳ５０の処理に進む。
【０１３７】
ステップＳ５０において、第１ＣＰＵ３１は、キーマトリクス２３からの指示信号を監視して、ホストの決定操作がなされたか否かの確認を行う。ここで、ホスト決定操作がなされなかったことが確認された場合には、上述のステップＳ４４の処理に戻り、移行の処理を繰り返す。一方、ホスト決定操作がなされたことが確認された場合には、上記一連のホスト特定画面表示処理を終了し、元の処理シーケンスに戻る。即ち、図５のステップＳ２９の処理に進む。
【０１３８】
以上説明したように上記第２の実施形態によれば、デジタルカメラ１００のレンズ１の光軸方向（即ち撮影画面の略中央部分）に対する電波の受信感度を最も高くなるように設定しておき、デジタルカメラ１００のレンズ１を所望の外部装置に向けて、その外部装置をＴＦＴパネルの表示画面の略中央部に表示させることによって、無線通信を所望する外部装置を特定することができ、その特定された外部装置との無線接続を容易に確立させることができる。
【０１３９】
次に、本発明の第３の実施形態のデジタルカメラについて説明する。
【０１４０】
図１２は、本発明の第３の実施形態のデジタルカメラの主な構成を示すブロック構成図である。図１３は、本実施形態のデジタルカメラの構成のうちアンテナ制御／信号強度検出部の内部構成のうちの要部（信号レベル検出部）のみを示すブロック構成図である。図１４は、本実施形態のデジタルカメラの作用のうちホスト特定画面表示処理の詳細を示すフローチャートである。図１５は、アンテナ位相差スキャンによるホストからの受信電波強度を測定する際の原理を簡単に説明する概念図である。
【０１４１】
本実施形態のデジタルカメラでは、無線接続を所望する外部装置を特定するのに際して、アンテナ位相差スキャン方式を用いるようにした点が異なる。
【０１４２】
本実施形態のデジタルカメラの構成は、上述の第１，第２のの実施形態と略同様の構成となっており、上述したようにアンテナ位相差スキャン方式による外部装置（ホスト）の受信信号を検出しその信号レベル（電波強度）を検出するめの構成が若干異なる。
【０１４３】
即ち、本実施形態のデジタルカメラ１００においては、複数（二本）のアンテナ、即ち第１無線アンテナ２１ａと第２無線アンテナ２１ｂとを具備している。
【０１４４】
これら二本のアンテナ（第１無線アンテナ２１ａと第２無線アンテナ２１ｂ）は、アンテナ制御／信号強度検出部３４を介して第１ＣＰＵ３１のシステムコントロール部３１ａの信号方向検出機能部３１ｅへと接続されていると共に、アンテナ制御／信号強度検出部３４は同時に外部無線データＩ／Ｆ（ＷＵＳＢ）１９にも接続されている。
【０１４５】
アンテナ制御／信号強度検出部３４は、図１３に示すように、その内部に、第１無線アンテナ２１ａからの受信信号が入力される第１バリアブルディレー３４ａと、第２無線アンテナ２１ｂからの受信信号が入力される第２バリアブルディレー３４ｂと、第１バリアブルディレー３４ａ及び第２バリアブルディレー３４ｂの出力を受けて加算する加算器３４ｃと、加算器３４ｃからの出力を受けて信号レベルの検出を行う信号レベル検出器３４ｄ等を有している。なお、図１３では、アンテナ制御／信号強度検出部３４の構成部材のうち外部装置の受信信号の信号レベル（電波強度）をアンテナ位相差スキャン方式によって検出するための構成（信号レベル検出部）のみを取り出して簡略に図示している。
【０１４６】
第１バリアブルディレー３４ａと第２バリアブルディレー３４ｂは、入力信号を出力するまでの時間を可変とする信号遅延回路である。つまり、複数のアンテナで検出したそれぞれの信号の位相を変化させる位相変化手段として機能する。
【０１４７】
このように構成されるアンテナ制御／信号強度検出部３４と、二本のアンテナ（第１無線アンテナ２１ａ，第２無線アンテナ２１ｂ）によって、アンテナ位相差スキャン方式による外部装置の受信信号の信号レベル（電波強度）を検出する際の原理を、図１５を用いて簡単に説明する。
【０１４８】
第１無線アンテナ２１ａと第２無線アンテナ２１ｂとは、図１５に示すように、デジタルカメラ１００の筐体の前面寄りの部位であって、レンズ１を挟むようにして、筐体両端部近傍の部位に、それぞれ配置されている。
【０１４９】
ここで、図１５の符号Ａで示す部位に、外部装置（ホスト）が存在する場合を考える。この符号Ａの位置から発信された無線信号は、第１無線アンテナ２１ａと第２無線アンテナ２１ｂとによって受信されることになる。図１５において、符号Ｂで示す円弧状の線は、符号Ａから等距離であることを示している。
【０１５０】
したがって、図１５に示す例では、符号Ａの位置から第１無線アンテナ２１ａまでの距離Ｄ１と、符号Ａの位置から第２無線アンテナ２１ｂまでの距離Ｄ２とは、図１５の符号Ｃで示す距離だけ前者の方が短いことがわかる。
【０１５１】
つまり、符号Ａの位置から発した無線信号が第１無線アンテナ２１ａに到達するまでの時間と、第２無線アンテナ２１ｂに到達するまでの時間とは、距離Ｃの分だけ差が生じることになる。
【０１５２】
そこで、本実施形態においては、第１無線アンテナ２１ａ及び第２無線アンテナ２１ｂと、加算器３４ｃとの間に、第１バリアブルディレー３４ａ及び第２バリアブルディレー３４ｂを介することによって、図１５の距離Ｃに対応する時間だけ、信号の出力を遅延させるような構成となっている。
【０１５３】
このような構成により、第１無線アンテナ２１ａ及び第２無線アンテナ２１ｂのそれぞれに入力した信号が同じタイミングで加算器３４ｃへと出力されるようになっている。
【０１５４】
したがって、アンテナ制御／信号強度検出部３４は、位相変化手段を制御して、撮影手段の画角の範囲を含む範囲をスキャンするスキャン制御手段として機能する。
【０１５５】
その他の構成は、上述の第１の実施形態のデジタルカメラと略同様である。
【０１５６】
このような構成の本実施形態のデジタルカメラ１００において、ＷＵＳＢ接続による無線通信を行う相手先の外部装置を検索する場合の作用は、上述の第１の実施形態と略同様であり、ホスト特定画面表示処理が若干異なる。
【０１５７】
即ち、本実施形態におけるホスト特定画面表示処理は、図１４に示すように、まず、ステップＳ４１において、第１ＣＰＵ３１は、ＴＦＴ液晶駆動回路９を介してＴＦＴパネル１０の表示部にホスト特定画面（例えば図７参照）を表示し、次のステップＳ４２の処理において、第１ＣＰＵ３１のアンテナ電波受信感度演算部３１ｆは、ズーム倍率の設定値やＡＦ測距の測定結果と、ＥＥＰＲＯＭ１９に記憶されているアンテナの利得パターン等のデータに基いて、撮影画角の範囲内におけるアンテナの受信感度分布を計算する処理を行う。上記ステップＳ４１，Ｓ４２の処理は、上述の第１の実施形態と同様である。
【０１５８】
続いて、本実施形態においては、図１４のステップＳ６１において、アンテナ位相差スキャンによってディレイ量を変化させながら外部装置（ホスト）からの受信電波強度を測定する処理を実行する。その後、ステップＳ４５の処理に進む。
【０１５９】
そして、以降の処理、即ちステップＳ４５，Ｓ４６，Ｓ４７，Ｓ４８，Ｓ４９，Ｓ５０の処理を、上述の第１の実施形態と略同様に経て、一連のホスト特定画面表示処理を終了し、元の処理シーケンスに戻る。
【０１６０】
以上説明したように、上記第３の実施形態によれば、上述の第１の実施形態と同様の効果を得ることができる。
【０１６１】
また、上述の各実施形態の他に、例えば第３の実施形態と同様に複数の無線アンテナを備え、各無線アンテナに入力される電波の位相差レベルをカメラ内に保持しておき、複数のホストが表示画面内で検出された場合には、保持してある受信電波（受信した信号）間の位相差に基いて表示画面内のホストのうち一つのホストを特定して、特定したホストの画像上に指標を表示するような構成も考えられる。
【０１６２】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【０１６３】
【図１】本発明の第１の実施形態のデジタルカメラの主な構成を示すブロック構成図。
【図２】図１のデジタルカメラにおいてＥＥＰＲＯＭに登録されるＷＵＳＢ認証情報のデータ形態の一例を示す概念図。
【図３】図１のデジタルカメラのアンテナの指向性（利得パターン）を示す概念図。
【図４】図１のデジタルカメラのアンテナの指向性（利得パターン）を示す概念図。
【図５】図１のデジタルカメラにおいて、ＷＵＳＢ接続による無線通信を行う相手先となる外部装置を検索する際の作用を示すフローチャート。
【図６】図１のデジタルカメラの作用のうちホスト特定画面表示処理の詳細を示すフローチャート。
【図７】図１のデジタルカメラにおけるホスト特定表示画面の一例を示す図。
【図８】図１のデジタルカメラのホスト特定画面表示処理において、無線通信相手の外部装置を特定した状態を示す表示画面の一例を示す図。
【図９】本発明の第２の実施形態のデジタルカメラの作用のうちホスト特定画面表示処理の詳細を示すフローチャート。
【図１０】図９のデジタルカメラのレンズを近隣にある外部装置に向けた状態を示す概念図で。
【図１１】図９のデジタルカメラのホスト特定表示画面の一例を示す図。
【図１２】本発明の第３の実施形態のデジタルカメラの主な構成を示すブロック構成図。
【図１３】図１２のデジタルカメラの構成のうちアンテナ制御／信号強度検出部の内部構成のうちの要部（信号レベル検出部）のみを示すブロック構成図。
【図１４】図１２のデジタルカメラの作用のうちホスト特定画面表示処理の詳細を示すフローチャート。
【図１５】図１２のデジタルカメラにおいて、アンテナ位相差スキャンによるホストからの受信電波強度を測定する際の原理を簡単に説明する概念図。
【符号の説明】
【０１６４】
１……レンズ
２……撮像素子
３……撮像回路
９……ＴＦＴ液晶駆動回路
１０……ＴＦＴパネル
１９……ＥＥＰＲＯＭ
１９ａ……ＷＵＳＢ認証情報
１９ｂ……アンテナ電波受信感度データ
２０……外部無線データインターフェース
２１ａ……無線アンテナ，第１無線アンテナ
２１ｂ……第２無線アンテナ
３１……第１ＣＰＵ
３１ａ……システムコントロール部
３１ｂ……ＷＵＳＢ接続認証機能部
３１ｃ……ＷＵＳＢ通信制御機能部
３１ｄ……ＷＵＳＢ接続認証情報管理機能部
３１ｅ……信号方向検出機能部
３１ｆ……アンテナ電波受信感度演算部
３１ｇ……ＵＳＢ通信制御機能部
３１ｈ……画像相関数値化機能部
３１ｊ……被写体追尾機能部
３２……第２ＣＰＵ
３２ａ……画像圧縮伸張部
３２ｂ……記録媒体アクセス部
３２ｃ……画像認識機能部
３２ｄ……接続認証ホスト用画像生成機能部
３３……カメラ姿勢検出部
３４……アンテナ制御／信号強度検出部
３４ａ……第１バリアブルディレー
３４ｂ……第２バリアブルディレー
３４ｃ……加算器
３４ｄ……信号レベル検出器
１００……デジタルカメラ
【図１】
2009094890.tif 000003
【図２】
2009094890.tif 000004
【図３】
2009094890.tif 000005
【図４】
2009094890.tif 000006
【図５】
2009094890.tif 000007
【図６】
2009094890.tif 000008
【図７】
2009094890.tif 000009
【図８】
2009094890.tif 000010
【図９】
2009094890.tif 000011
【図１０】
2009094890.tif 000012
【図１１】
2009094890.tif 000013
【図１２】
2009094890.tif 000014
【図１３】
2009094890.tif 000015
【図１４】
2009094890.tif 000016
【図１５】
2009094890.tif 000017